(57)【要約】【課題】加熱モードにおいて、焦げ付き検知機能を有効とするか無効とするかを切り替え可能とすること。【解決手段】複数の加熱出力の中から１つの加熱出力を選択する加熱出力調整スイッチ８を有する操作部７と、インバータ回路４の加熱出力が操作部７で選択された加熱出力となるように制御する加熱モードを有する制御部９とを備え、操作部７は制御部９が加熱モードを含む制御モードで動作する際に、焦げ付き検知機能を有効とするか無効とするかを切り替え可能とする操作スイッチ１０を有することで、使用者がわざと焦げ付かせたい調理をする場合において、意図しない場面で焦げ付き検知が働いて加熱が停止してしまうという不具合を解消することができる。【選択図】図１
2011258399.tif 000002
【特許請求の範囲】
【請求項１】
調理容器を載置するトッププレートと、前記トッププレートの下に設けられた前記調理容器を誘導加熱する誘導加熱コイルと、前記誘導加熱コイルに高周波電流を供給するインバータ回路と、前記調理容器の底から放射され前記トッププレートを透過する赤外線を受光して前記調理容器底温度を検知する赤外線センサと、前記赤外線センサの検知温度が所定の温度に到達すると前記調理容器に収容された被加熱物が焦げ付いたことを検知して焦げ付き情報を出力する焦げ付き検知部と、複数の加熱出力の中から加熱出力を選択する加熱出力調整スイッチを有する操作部と、前記インバータ回路の加熱出力が前記操作部で選択された加熱出力となるように制御する加熱モードを有する制御部と、を備え、前記操作部は、前記制御部が前記加熱モードで動作する際に、前記焦げ付き検知機能を有効とするか無効とするかを切り替え可能とする操作スイッチを有する誘導加熱調理器。
【請求項２】
操作部は、加熱モードを含む制御モードの中から１つの制御モードを選択するための制御モード選択スイッチをさらに有し、加熱モード以外の制御モードにおいて、焦げ付き検知機能を有効とするか無効とするかを切り替え可能とする操作スイッチを有する請求項１に記載の誘導加熱調理器。
【請求項３】
操作部は、焦げ付き検知機能を有効とするか無効とするかを切り替え可能とする操作スイッチを複数個有し、前記操作スイッチを複数同時に押すことで、焦げ付き検知機能を有効とするか無効とするかを切り替え可能とした請求項１または２に記載の誘導加熱調理器。
【請求項４】
操作部は、焦げ付き検知機能を有効とするか無効とするかを切り替え可能とする１つ以上の操作スイッチを通常の受け付けに必要な時間よりも長い所定の時間押し続けることで、焦げ付き検知機能を有効とするか無効とするかを切り替え可能とした請求項１または２に記載の誘導加熱調理器。
【請求項５】
音声データを出力することができる音声出力部を備え、前記音声出力部は、焦げ付き検知機能選択が有効とされているか無効とされているかを報知可能とした請求項１〜４のいずれか１項に記載の誘導加熱調理器。
【請求項６】
操作部で設定された内容を視覚的に表示する表示部を備え、前記表示部は、焦げ付き検知機能選択が有効とされているか無効とされているかを表示する請求項１〜５のいずれか１項に記載の誘導加熱調理器。
【発明の詳細な説明】
【技術分野】
【０００１】
本発明は、焦げ付き検知機能を備えた誘導加熱調理器に関するものであり、特に、制御モードに応じて、焦げ付き検知機能の有効無効を切り替え可能とした誘導加熱調理器に関するものである。
【背景技術】
【０００２】
従来、この種の誘導加熱調理器は、特定の調理モード時、例えば煮込み料理などで、鍋底の温度を検知する温度検知手段にて沸騰を検知し、沸騰後煮込み火力を決定し加熱を継続し、煮込み調理中に調理物の温度が異常に上昇して鍋底の温度が予め定めた所定値以上に上昇した場合に、前記鍋底に調理物が焦げ付いたと検知する構成となっている（特許文献１参照）。
【０００３】
図６は、特許文献１に記載された従来の誘導加熱調理器のブロック図である。図６において、調理物を入れる鍋１０１、加熱コイル１０２、インバータ回路１０３で構成して、インバータ回路１０３の出力により加熱コイル１０２に誘導電流を流し、その際に発生するジュール熱で鍋１０１を加熱する。
【０００４】
さらに、鍋１０１が所定の火力で加熱されるようにインバータ回路１０３を制御する制御部１０４、鍋１０１の温度を検知する温度検知部１０５、温度検知部１０５で検知された鍋１０１の温度および温度勾配等から沸騰を検知する沸騰検知部１０６、沸騰検知部１０６により沸騰が検知されたときの鍋底温度および入力電力ならびに沸騰にいたるまでの温度変化のパターンにより、沸騰後の煮込み電力を決定する煮込み電力判定部１０７、温度検知部１０５にて検知した鍋底温度が所定の温度以上に上昇した場合に鍋１０１内の調理物が焦げ付いたのを検知する焦げ付き検知部１０８、煮込み料理用の加熱制御を自動で行うモードが選択できる調理モード選択スイッチ１０９で構成している。
【０００５】
図７は従来の誘導加熱調理器における煮込みモードの温度変化を示すグラフである。
【０００６】
図７において、調理モード選択スイッチ１０９にて煮込みモードが選択された場合の鍋１０１の温度変化および制御火力パターンである。図７においてＴａは沸騰検知部１０６にて沸騰を検知したポイント、Ｔｂは焦げ付き検知部１０８にて焦げ付きを検知したポイントである。
【０００７】
調理モード選択スイッチ１０９にて煮込みモードが選択されると、温度検知部１０５にて検知される温度が１００℃以下の間は、鍋１０１を１２００Ｗにて加熱し、沸騰検知部１０６にて沸騰を検知すると、煮込み電力判定部１０７から制御部１０４に加熱火力を４００Ｗにするように出力される。
【０００８】
制御部１０４は鍋１０１の入力火力が４００Ｗになるようにインバータ回路１０３を制御する。煮込み中は鍋１０１の温度は安定しているが、鍋１０１内の水分がなくなったりして調理物が焦げ付くと温度が急激に上昇する。そして鍋１０１の温度が１０５℃以上を検知すると焦げ付き検知部１０８が焦げ付きを検知し、制御部１０４に焦げ付き情報を出力し、制御部１０４は加熱を停止する。
【先行技術文献】
【特許文献】
【０００９】
【特許文献１】特開平１０−１４９８７５号公報
【特許文献２】特開２００７−１１５５１５号公報
【発明の概要】
【発明が解決しようとする課題】
【００１０】
しかしながら、前記従来の構成では、調理シーンが限定されており、それらは特に煮込み等低火力調理に限られたものである。また使用者は、焦げ付き検知機能を使用するとき、特定の調理モード（煮込みモード）を選択しなくてはならないという課題を有していた。
【００１１】
また、参考文献２の様に、温度勾配のみで焦げ付いたかどうかを判定する場合、調理によっては、わざと焦げ付かせたいもの（餃子など）があり、使用者の意図しない場面で焦げ付き検知が働いてしまうという課題を有していた。
【００１２】
本発明は、前記従来の課題を解決するもので、インバータ回路の加熱出力が操作部で選択された加熱出力となるように制御する加熱モードにおいて、焦げ付き検知機能を有効とするか無効とするかを切り替え可能とする操作スイッチを有する誘導加熱調理器を提供することを目的とする。
【課題を解決するための手段】
【００１３】
前記従来の課題を解決するために、本発明の誘導加熱調理器は、調理容器を載置するトッププレートと、前記トッププレートの下に設けられた前記調理容器を誘導加熱する誘導加熱コイルと、前記誘導加熱コイルに高周波電流を供給するインバータ回路と、前記調理容器の底から放射され前記トッププレートを透過する赤外線を受光して前記調理容器底温度を検知する赤外線センサと、前記赤外線センサの検知温度が所定の温度に到達すると前記調理容器に収容された被加熱物が焦げ付いたことを検知して焦げ付き情報を出力する焦げ付き検知部と、複数の加熱出力の中から加熱出力を選択する加熱出力調整スイッチを有する操作部と、前記インバータ回路の加熱出力が前記操作部で選択された加熱出力となるように制御する加熱モードを有する制御部と、を備え、前記操作部は、前記制御部が前記加熱モードで動作する際に、前記焦げ付き検知機能を有効とするか無効とするかを切り替え可能とする操作スイッチを有するものである。
【００１４】
これによって、使用者が特定の調理モードを選択することなく、通常の加熱モードで調理を行っても焦げ付き検知機能が利用可能であるとともに、使用者の調理用途に応じて、焦げ付き検知機能を有効とするか無効とするかを自由に選択できるようにしている。
【発明の効果】
【００１５】
本発明の誘導加熱調理器は、使用者が調理用途に応じて焦げ付き検知機能を有効とするか無効とするかを自由に選択できるようにすることで、わざと焦げ付かせたいような調理において、意図しない場面で焦げ付き検知が働いてしまうような不具合を解消することができ使い勝手をよくすることができる。
【図面の簡単な説明】
【００１６】
【図１】本発明の実施の形態１における誘導加熱調理器のブロック図
【図２】本発明の実施の形態２における誘導加熱調理器の操作部の図
【図３】本発明の実施の形態３あるいは４における誘導加熱調理器の操作部の図
【図４】本発明の実施の形態５における誘導加熱調理器のブロック図
【図５】本発明の実施の形態６における誘導加熱調理器のブロック図
【図６】従来の誘導加熱調理器のブロック図
【図７】従来の誘導加熱調理器における煮込みモードの温度変化を示すグラフ
【発明を実施するための形態】
【００１７】
第１の発明は、調理容器を載置するトッププレートと、前記トッププレートの下に設けられた調理容器を誘導加熱する誘導加熱コイルと、前記誘導加熱コイルに高周波電流を供給するインバータ回路と、前記調理容器の底から放射され前記トッププレートを透過する赤外線を受光して前記調理容器底温度を検知する赤外線センサと、前記赤外線センサの検知温度が所定の温度に到達すると前記調理容器に収容された調理物が焦げ付いたことを検知して焦げ付き情報を出力する焦げ付き検知部と、複数の加熱出力の中から加熱出力を選択する加熱出力調整スイッチを有する操作部と、前記インバータ回路の加熱出力が前記操作部で選択された加熱出力となるように制御する加熱モードを有する制御部と、を備え、前記操作部は、前記制御部が前記加熱モードで動作する際に、前記焦げ付き検知機能を有効とするか無効とするかを切り替え可能とする操作スイッチを有することにより、使用者が特定の調理モードを選択することなく、通常の加熱モードで調理を行っても焦げ付き検知機能が利用可能であるとともに、使用者がわざと焦げ付かせたい調理をする場合において、意図しない場面で焦げ付き検知が働いて加熱が停止してしまうという不具合を解消することができる。
【００１８】
第２の発明は、特に、第１の発明の操作部は、加熱モードを含む制御モードの中から１つの制御モードを選択するための制御モード選択スイッチをさらに有し、加熱モード以外の制御モードにおいて、焦げ付き検知機能を有効とするか無効とするかを切り替え可能とする操作スイッチを有することにより、使用者が特定の調理モードを選択することなく、幅広いメニューで調理を行っても焦げ付き検知機能を利用することができる。
【００１９】
第３の発明は、特に、第１または第２の発明の操作部は、焦げ付き検知機能を有効とするか無効とするかを切り替え可能とする操作スイッチを複数個有し、前記操作スイッチを複数同時に押すことで、焦げ付き検知機能を有効とするか無効とするかを切り替え可能とすることにより、容易に焦げ付き検知機能が選択できないようにすることができる。
【００２０】
第４の発明は、特に、第１または第２の操作部は、焦げ付き検知機能を有効とするか無効とするかを切り替え可能とする１つ以上の操作スイッチを通常の受け付けに必要な時間よりも長い所定の時間押し続けることで、焦げ付き検知機能を有効とするか無効とするかを切り替え可能とすることにより、容易に焦げ付き検知機能が選択できないようにすることができる。
【００２１】
第５の発明は、特に、第１〜４のいずれか１つの発明の誘導加熱調理器において、音声データを出力することができる音声出力部を備え、前記音声出力部は、焦げ付き検知機能選択が有効とされているか無効とされているかを報知可能とすることにより、使用者が選択した焦げ付き機能選択が有効であるか無効であるかを聴覚的に認識することができる。
【００２２】
第６の発明は、特に、第１〜５のいずれか１つの発明の誘導加熱調理器において、操作部で設定された内容を視覚的に表示する表示部を備え、前記表示部は、焦げ付き検知機能選択が有効とされているか無効とされているかを表示することにより、使用者が選択した焦げ付き選択機能が有効であるか無効であるかを視覚的に認識することができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における誘導加熱調理器の構成を示すブロック図である。
【００２５】
図１において、トッププレート２の下方には誘導加熱コイル３が設けられている。さらに、誘導加熱コイル３の下方には誘導加熱コイル３を制御するインバータ回路４とインバータ回路４を動作させるための制御部９が設けられている。
【００２６】
操作部７により加熱出力が設定されると、制御部９は誘導加熱コイル３に高周波電流を供給し、かつ加熱出力が加熱出力設定値となるようにインバータ回路４の加熱動作を制御する加熱モードを有する。
【００２７】
赤外線センサ５はＩｎＧａＡｓピンフォトダイオード等からなり、トッププレート２の下で加熱コイル３近傍に設けられ、調理容器１の底から放射されトッププレート２を透過する赤外線を受光して調理容器１の調理容器１底温度を検知する。
【００２８】
焦げ付き検知部６は、赤外線センサ５により検知された調理容器１底の検知温度が所定の温度に到達すると被加熱物１１の焦げ付きを検知して、鍋１の底に被加熱物１１が焦げ付いたことを示す焦げ付き情報を制御部９に出力する。
【００２９】
なお、操作部７は、複数の加熱出力の中から１つの加熱出力を選択する加熱出力調整スイッチ８と、焦げ付き検知を有効とするか無効とするかを切り替え可能とした操作スイッチ１０を備えている。
【００３０】
以上のように構成された誘導加熱調理器について、以下その動作、作用を説明する。
【００３１】
まず操作部７よって加熱出力を選択すると、制御部９はインバータ回路４を駆動して、誘導加熱コイル３に高周波電流を供給し、且つ、加熱出力が加熱出力値になるようにインバータ回路４の加熱動作を制御して加熱モードで加熱をおこなう。
【００３２】
赤外線センサ５の検知温度が所定の温度に到達すると調理容器に収容された被加熱物１１が焦げ付いたことを検知して焦げ付き検知部６が焦げ付き情報を制御部９に出力する。制御部９が加熱モードで動作する際に、焦げ付き検知機能を有効とするか無効とするかを切り替え可能とする操作スイッチによって、使用者が特定の調理モードを選択することなく、通常の加熱モードで調理を行っても焦げ付き検知機能が利用可能になる。
【００３３】
本実施の形態においては、使用者が加熱モードで動作する際に、操作スイッチ１０を押すことで焦げ付き検知機能を有効とするか無効とするかを切り替え可能とすることで、使用者が特定の調理モードを選択することなく、通常の加熱モードで調理を行っても焦げ付き検知機能が利用可能であるとともに、使用者がわざと焦げ付かせたい調理をする場合において、意図しない場面で焦げ付き検知が働いて加熱が停止してしまうという不具合を解消することができる。
【００３４】
また、本実施の形態では、操作スイッチ１０を単独のスイッチとして記載しているが、操作部７における誘導加熱調理器を動作させるための他のスイッチ（タイマスイッチなど）と共用することで、専用スイッチを設けることなく操作部の簡素化を図ることもできる。
【００３５】
（実施の形態２）
図２は、本発明の第２の実施の形態における誘導加熱調理器の操作部の図を示すものである。
【００３６】
図２において、操作部７は図１に記載の加熱出力調整スイッチ８と操作スイッチ１０を備え、さらに、加熱モードを含む複数の制御モードの中から１つを選択するための制御モ
ード選択スイッチを備えている。
【００３７】
以上のように構成された誘導加熱調理器について、以下その動作、作用を説明する。
【００３８】
本実施の形態においては、使用者が制御モード選択スイッチ１２を押すと、制御モードが加熱モードや揚げ物モードや自動湯沸しモードなど、自由に選択することができる。
【００３９】
各制御モードが選択されている状態において、操作スイッチ１０を押すことで制御部９が、焦げ付き検知機能を有効とするか無効とするかの切り替えを可能とする。これによって、使用者が特定の調理モードを選択することなく、幅広いメニューで調理を行っても焦げ付き検知機能を利用することができる。
【００４０】
また、本実施の形態では、制御モード選択スイッチ１２を押すと、加熱モードや揚げ物モードや自動湯沸しモードに移行する形態をとったが、この実施の形態によって本発明が限定されるものではない。
【００４１】
（実施の形態３）
図３は、本発明の第３あるいは第４の実施の形態における誘導加熱調理器の操作部の図を示すものである。
【００４２】
図３において、操作部７は図２の構成からさらに複数個の操作スイッチ（加熱出力調整スイッチ８、二つの操作スイッチ１０、制御モード選択スイッチ１２）を備えている。
【００４３】
以上のように構成された誘導加熱調理器について、以下その動作、作用を説明する。
【００４４】
図３記載の複数個の操作スイッチ１０を使用者が同時に押すことで、焦げ付き検知機能を有効とするか無効とするかを切り替え可能とすることにより、容易に焦げ付き検知機能が選択できないようにすることができる。
【００４５】
また、本実施の形態では、複数個の操作スイッチ１０を単独のスイッチとして記載しているが、操作部７における誘導加熱調理器を動作させるための他のスイッチ（タイマスイッチなど）と共用することで、専用スイッチを設けることなく操作部の簡素化を図ることもできる。
【００４６】
（実施の形態４）
本実施の形態における操作部の構成は、図３と同様であるため構成の説明は省略する。
【００４７】
以上のように構成された誘導加熱調理器について、以下その動作、作用を説明する。
【００４８】
図３において、複数個の操作スイッチ１０から使用者が１つ以上の操作スイッチ１０を通常の受け付けに必要な時間よりも長い所定の時間押し続けることで、焦げ付き検知機能を有効とするか無効とするかを切り替え可能とすることにより、容易に焦げ付き検知機能が選択できないようにすることができる。
【００４９】
また、本実施の形態では、誘導加熱調理器の機能を働かせるための通常の受け付けに必要な時間を０．１秒とし、それよりも長い所定の時間を５．０秒と設定するが、この実施の形態によって本発明が限定されるものではない。
【００５０】
（実施の形態５）
図４は、本発明の第５の実施の形態における誘導加熱調理器のブロック図を示すもので
ある。
【００５１】
図４において、制御部９からの信号を受信し、その信号に対応した報知を行う音声出力部１３を備えている。その他の構成に関しては図１と同様のため説明は省略する。
【００５２】
以上のように構成された誘導加熱調理器について、以下その動作、作用を説明する。
【００５３】
使用者が加熱モードを含む制御モードにおいて、操作スイッチ１０を押すことで焦げ付き検知機能が有効とされるか無効をされるかを選択する際、現在の焦げ付き検知選択状態を音声出力部１３により報知をすることで、使用者が選択した焦げ付き機能選択が有効であるか無効であるかを聴覚的に認識することができる。
【００５４】
また、本実施の形態では、音声による報知とするが、ブザーによる報知でも可能であり、この実施の形態によって本発明が限定されるものではない。
【００５５】
（実施の形態６）
図５は、本発明の第６の実施の形態における誘導加熱調理器のブロック図を示すものである。
【００５６】
図５において、制御部９からの信号を受信し、その信号に対応した表示を行う表示部１４を備えている。その他の構成に関しては図４と同様のため説明は省略する。
【００５７】
以上のように構成された誘導加熱調理器について、以下その動作、作用を説明する。
【００５８】
使用者が加熱モードを含む制御モードにおいて、操作スイッチ１０を押すことで焦げ付き検知機能が有効とされるか無効をされるかを選択する際、現在の焦げ付き検知選択状態を表示部１４により表示をすることで、使用者が選択した焦げ付き機能選択が有効であるか無効であるかを視覚的に認識することができる。
【産業上の利用可能性】
【００５９】
以上のように、本発明にかかる誘導加熱調理器は、加熱モードを含む制御モードで動作する際に、焦げ付き検知機能を有効とするか無効とするかを切り替え可能とすることにより、使用者が特定の調理モードを選択することなく、幅広いメニューで調理を行っても焦げ付き検知機能を利用することができ、さらに、使用者がわざと焦げ付かせたい調理をする場合において、意図しない場面で焦げ付き検知が働いて加熱が停止してしまうという不具合を解消することができるので、誘導加熱調理器だけでなく電子レンジや電磁調理器などの調理家電の用途に有効である。
【符号の説明】
【００６０】
１  調理容器
２  トッププレート
３  誘導加熱コイル
４  インバータ回路
５  赤外線センサ
６  焦げ付き検知部
７  操作部
８  加熱出力調整スイッチ
９  制御部
１０  操作スイッチ
１１  被加熱物
１２  制御モード選択スイッチ
１３  音声出力部
１４  表示部
【図１】
2011258399.tif 000003
【図２】
2011258399.tif 000004
【図３】
2011258399.tif 000005
【図４】
2011258399.tif 000006
【図５】
2011258399.tif 000007
【図６】
2011258399.tif 000008
【図７】
2011258399.tif 000009